(57)【要約】      （修正有）【課題】患者の鼻を矯正するための矯正具であって、患者に多大な痛みを感じさせず、早期に鼻の矯正を開始可能な矯正具を提供する。【解決手段】矯正具は、挿入部材１０を有する。挿入部材は、鼻の下側に配置されるフレーム８に取り付けられるものであって、上部に丸みを帯びた樹脂体１１を有し、フレームから上方へ延びる。初期状態では、挿入部材の上部は、鼻の前方に位置しており、挿入部材の上部を鼻の内部に挿入することで、挿入部材の弾性復帰力によって鼻が前方へ押圧される。【選択図】図２
0003220646.tif 000002
【実用新案登録請求の範囲】
【請求項１】
患者の鼻を矯正するために使用される矯正具であって、
挿入部材を有し、
前記挿入部材は、鼻の下側に配置されるフレームに取り付けられるものであって、前記フレームから上方へ延び、
初期状態では、前記挿入部材の上部は鼻の前方に位置しており、前記挿入部材の上部を前記鼻の内部に挿入することで、前記挿入部材の弾性復帰力によって前記鼻を前方へ押圧可能な矯正具。
【請求項２】
樹脂体をさらに有し、
前記樹脂体は、前記挿入部材の上部に取り付けられるものであって、前記樹脂体の表面は、丸みを帯びている請求項１に記載の矯正具。
【請求項３】
前記挿入部材の中間部は、後方に凸となるループ状に湾曲する、請求項１又は２に記載の矯正具。
【請求項４】
前記挿入部材は、針金から構成されており、
前記挿入部材の下端部が前記フレームに溶着されることで、前記挿入部材は前記左右フレームに取り付けられる請求項１乃至３のいずれかに記載の矯正具。
【請求項５】
固定具をさらに有し、
前記固定具は、前記挿入部材の下端部を前記フレームに着脱自在に固定可能である請求項１乃至３のいずれかに記載の矯正具。
【請求項６】
請求項１乃至５のいずれかに記載の矯正具と、
患者の頭部に装着される装着具とを備え、
前記フレームは、前記装着具に設けられる、矯正装置。
【請求項７】
前記装着具は、患者の上顎を前方に牽引可能である請求項６に記載の矯正装置。
【請求項８】
前記装着具は、装着具本体と、ワイヤーと、フックとを備え、
前記装着具本体は、ヘッドサポートと、チンサポートと、一対の上下フレームと、左右フレームとを備えるものであって、前記矯正具の挿入部材は、前記左右フレームに取り付けられ、
前記一対の上下フレームは、上下方向に延びるものであり、一方の前記上下フレームと他方の前記上下フレームとは、左右方向に間隔をあけて位置しており、
前記一方の上下フレームの上端部は、前記ヘッドサポートの左側端部に接続され、前記一方の上下フレームの下端部は、前記チンサポートの左側端部に接続され、
前記他方の上下フレームの上端部は、前記ヘッドサポートの右側端部に接続され、前記他方の上下フレームの下端部は、前記チンサポートの右側端部に接続され、
前記左右フレームは、左右方向に延びるものであり、前記左右フレームの左側端部は、前記一方の上下フレームの中間部に接続され、前記左右フレームの右側端部は、前記他方の上下フレームの中間部に接続されており、
前記装着具は、前記ヘッドサポートが患者の額に当接し、前記チンサポートが患者の下顎の下端に当接するように、患者の頭部に装着されるものであって、この状態において、前記左右フレームは、鼻の下側に配置され、
前記フックは、患者の上顎の歯に係止されるものであって、
前記ワイヤーは、弾性材料から形成されるものであって、当該ワイヤーによって前記フックと前記左右フレームの中間部とが接続されることで、患者の上顎が前方に牽引される、請求項７に記載の矯正装置。
【請求項９】
前記左右フレームの中間部は、つづら折り状に曲がっており、前方に突出する請求項８に記載の矯正装置。
【考案の詳細な説明】
【技術分野】
【０００１】
本考案は、患者の鼻を矯正するための矯正具、及び当該矯正具を備える矯正装置に関する。
【背景技術】
【０００２】
新生児に現れる先天異常として口唇裂や口蓋裂がある。口唇裂や口蓋裂は、外見上の異常に加えて、哺乳障害・言語障害等の様々な障害を生じさせるものであり、口唇裂の初回形成術は生後３〜５ヶ月頃に行われ、口蓋裂の初回形成術は生後１年〜１年６ヶ月頃に行われる。
【０００３】
口唇裂や口蓋裂の患者（以下、口唇口蓋裂患者と記す）では、鼻尖が被裂側に偏位し、鼻柱基部が非被裂側に偏位する外鼻変形が生じる。外鼻変形は、鼻部周辺等の筋肉の緊張によって生じるものであり、上記の口唇烈や口蓋列の形成術が行われた後も残存する。外鼻変形を治療するための鼻形成術として、Ｒｅｔｈｉ法や、逆Ｕ字切開法がある（非特許文献１）。Ｒｅｔｈｉ法は、鼻柱基部から左右の鼻柱外側、外鼻孔縁内側に至る切開線で鼻軟骨を露出する切開法である。逆Ｕ字切開法は、患側外鼻孔縁より前面にかかる逆Ｕ字型の切開線から鼻前庭外側へ向かう切開を行う方法である。
【先行技術文献】
【特許文献】
【０００４】
【非特許文献１】須佐美隆史、外５名、口唇裂、顎裂、口蓋裂    形成外科学  改訂３版  株式会社南山堂  p.182-198,  東京  2017年
【考案の概要】
【考案が解決しようとする課題】
【０００５】
ところで上記の鼻形成術（Ｒｅｔｈｉ法や逆Ｕ字切開法）は、切開法であるため、多大な痛みを伴う。
【０００６】
また鼻の成長のため鼻形成術の時期は可能な限り遅くすべきとの判断が医療現場で行われることで、例えば、十数年もの長期に亘って、鼻形成術が行われずに、外鼻変形が放置されている実態がある。
【０００７】
本考案は、上記事項に鑑みてなされたものであって、その目的は、患者の鼻を矯正するための矯正具であって、患者に多大な痛みを感じさせず、早期に鼻の矯正を開始可能な矯正具、及び当該矯正具を備える矯正装置を提供することにある。
【課題を解決するための手段】
【０００８】
上記目的を達成するため、本考案は、次の項に記載の主題を包含する。
【０００９】
項１．患者の鼻を矯正するために使用される矯正具であって、
挿入部材を有し、
前記挿入部材は、鼻の下側に配置されるフレームに取り付けられるものであって、前記フレームから上方へ延び、
初期状態では、前記挿入部材の上部は鼻の前方に位置しており、前記挿入部材の上部を前記鼻の内部に挿入することで、前記挿入部材の弾性復帰力によって前記鼻を前方へ押圧可能な矯正具。
【００１０】
項２．樹脂体をさらに有し、
前記樹脂体は、前記挿入部材の上部に取り付けられるものであって、前記樹脂体の表面は、丸みを帯びている項１に記載の矯正具。
【００１１】
項３．前記挿入部材の中間部は、後方に凸となるループ状に湾曲する、項１又は２に記載の矯正具。
【００１２】
項４．前記挿入部材は、針金から構成されており、
前記挿入部材の下端部が前記フレームに溶着されることで、前記挿入部材は前記左右フレームに取り付けられる項１乃至３のいずれかに記載の矯正具。
【００１３】
項５．固定具をさらに有し、
前記固定具は、前記挿入部材の下端部を前記フレームに着脱自在に固定可能である項１乃至３のいずれかに記載の矯正具。
【００１４】
項６．項１乃至５のいずれかに記載の矯正具と、
患者の頭部に装着される装着具とを備え、
前記フレームは、前記装着具に設けられる、矯正装置。
【００１５】
項７．前記装着具は、患者の上顎を前方に牽引可能である項６に記載の矯正装置。
【００１６】
項８．前記装着具は、装着具本体と、ワイヤーと、フックとを備え、
前記装着具本体は、ヘッドサポートと、チンサポートと、一対の上下フレームと、左右フレームとを備えるものであって、前記矯正具の挿入部材は、前記左右フレームに取り付けられ、
前記一対の上下フレームは、上下方向に延びるものであり、一方の前記上下フレームと他方の前記上下フレームとは左右方向に間隔をあけて位置しており、
前記一方の上下フレームの上端部は、前記ヘッドサポートの左側端部に接続され、前記一方の上下フレームの下端部は、前記チンサポートの左側端部に接続され、
前記他方の上下フレームの上端部は、前記ヘッドサポートの右側端部に接続され、前記他方の上下フレームの下端部は、前記チンサポートの右側端部に接続され、
前記左右フレームは、左右方向に延びるものであり、前記左右フレームの左側端部は、前記一方の上下フレームの中間部に接続され、前記左右フレームの右側端部は、前記他方の上下フレームの中間部に接続されており、
前記装着具は、前記ヘッドサポートが患者の額に当接し、前記チンサポートが患者の下顎の下端に当接するように、患者の頭部に装着されるものであって、この状態において、前記左右フレームは、鼻の下側に配置され、
前記フックは、患者の上顎の歯に係止されるものであって、
前記ワイヤーは、弾性材料から形成されるものであって、当該ワイヤーによって前記フックと前記左右フレームの中間部とが接続されることで、患者の上顎が前方に牽引される、項７に記載の矯正装置。
【００１７】
項９．前記左右フレームの中間部は、つづら折り状に曲がっており、前方に突出する項８に記載の矯正装置。
【考案の効果】
【００１８】
本考案によれば、切開を要せず鼻を矯正できる。このため、患者に多大な痛みを感じさせず、鼻を矯正できる。また本考案によれば、切開を要しないことで、患者の鼻の成長を抑制することなく、鼻の矯正が可能である。したがって早期に鼻の矯正を開始できる。
【図面の簡単な説明】
【００１９】
【図１】本考案の実施形態に係る矯正装置を示す側面図である。
【図２】本考案の実施形態に係る矯正装置を示す側面図である。
【図３】本考案の実施形態に係る矯正具を示す斜視図である。
【図４】本考案の実施形態に係る装着具を示す斜視図である。
【図５】本考案の変形例に係る矯正具を示す斜視図である。
【考案を実施するための形態】
【００２０】
以下、本考案の実施形態について説明する。図１は、本考案の実施形態に係る矯正装置１を示す側面図である。図２は、図１に示す矯正装置１の一部を拡大して示す側面図である。図３は、本考案の実施形態に係る矯正具３を示す斜視図である。
【００２１】
本考案の実施形態に係る矯正装置１は、口唇口蓋裂患者の頭部に装着される装着具２と、装着具２に取り付けられる矯正具３とを備える。
【００２２】
装着具２は、口蓋裂患者の上顎を矯正可能なものである。つまり、口唇口蓋裂患者の多くは、先天的な組織欠損に加え、口唇裂・口蓋裂の形成術に伴う手術侵襲や瘢痕組織の存在により、上顎の発育に障害が生じる。その結果、下顎に比べて上顎が小さくなり、しばしば下顎の前歯が上顎の前歯の前にある反対咬合（受け口）を示す。そこで本実施形態では、口唇口蓋裂患者の上顎と下顎との位置関係を改善するために、上顎を前方に牽引可能な装着具２が頭部に装着される。さらに本実施形態では、装着具２に矯正具３が取り付けられることで、矯正具３により口唇口蓋裂患者に生じた外鼻変形をも矯正可能とする。
【００２３】
以下、装着具２や矯正具３の詳細な構造について説明する。なお本願では、装着具２や矯正具３の構造を説明するために、上、下、左、右、前、後の文言を用いるが、これらの文言は、図１に示すように、矯正装置１を取り付けた頭部が直立姿勢にあるときの方向を示す。また以下の説明では、「口唇口蓋裂患者」を「患者」と略す。
【００２４】
装着具２は、装着具本体４と、ワイヤー９（図１）と、図示しないフックとを備える。
【００２５】
図４は、装着具本体４を示す斜視図である。図４に示すように、装着具本体４は、ヘッドサポート５と、チンサポート６と、一対の上下フレーム７Ａ，７Ｂと、左右フレーム８とを備える。
【００２６】
一対の上下フレーム７Ａ，７Ｂは、上下方向に延びるものであり、上下フレーム７Ａと上下フレーム７Ｂとは、左右方向に間隔をあけて位置する。
【００２７】
上下フレーム７Ａの上端部は、ヘッドサポート５の左側端部に接続される。上下フレーム７Ａの下端部は、チンサポート６の左側端部に接続される。上下フレーム７Ｂの上端部は、ヘッドサポート５の右側端部に接続される。上下フレーム７Ｂの下端部は、チンサポート６の右側端部に接続される。
【００２８】
左右フレーム８は、左右方向に延びるものである。左右フレーム８の左側端部は、上下フレーム７Ａの中間部に接続され、左右フレーム８の右側端部は、上下フレーム７Ｂの中間部に接続される。
【００２９】
図１に示すように、装着具本体４は、ヘッドサポート５が患者の額に当接し、チンサポート６が患者の下顎の下端に当接するように、患者の頭部に装着される。この状態において、左右フレーム８は鼻の下側に配置される。また粘着材を用いてチンサポート６やヘッドサポート５を患者の下顎や額に接着することで、装着具本体４は患者の頭部に固定される。或いは、ゴム製のバンドを用いて装着具本体４を患者の頭部に固定してもよい。この場合、バンドの一端を上下フレーム７Ａに接続し、バンドの他端を上下フレーム７Ｂに接続して、後頭部にバンドを沿わせることが行われる。
【００３０】
装着具２のフック（図示せず）は、患者の上顎の歯に係止される。ワイヤー９（図１，図２）は、ゴム等の弾性材料から形成される。このワイヤー９によって上記のフックと左右フレーム８の中間部８ａとが接続されることで、患者の上顎が前方に牽引される。ワイヤー９が接続される中間部８ａは、つづら折り状に曲がっており、前方（顔面の反対側）に突出する。これは、中間部８ａからワイヤー９が外れることを防止し、且つ、ワイヤー９に大きな張力を生じさせることを目的とする。
【００３１】
次に矯正具３について説明する。
【００３２】
図１〜図３に示すように、矯正具３は、挿入部材１０と、樹脂体１１とを有する。
【００３３】
挿入部材１０は、鼻の下側に配置される左右フレーム８に取り付けられるものであって、左右フレーム８から上方へ延びる。本実施形態では、挿入部材１０は、針金から構成されており、挿入部材１０（針金）の下端部が左右フレーム８に溶着されることで、挿入部材１０は左右フレーム８に取り付けられる。また、挿入部材１０の中間部１０ａは、後方に凸となるループ状に湾曲している。
【００３４】
樹脂体１１は、挿入部材１０の上部に取り付けられるものであって、樹脂体１１の表面は、丸みを帯びている。本実施形態では、樹脂体１１を挿入部材１０に突き刺すことで、樹脂体１１が挿入部材１０に取り付けられているが、樹脂体１１の取り付け方法は、これに限定されない。
【００３５】
次に、上記の装着具２と矯正具３とを備える矯正装置１の使用方法について説明する。
【００３６】
矯正装置１を使用する際には、まず、装着具２の左右フレーム８に矯正具３を取り付けることが行われる（つまり、挿入部材１０の下端部を左右フレーム８に溶着することが行われる）。
【００３７】
ついで、患者の頭部に装着具本体４を装着して、患者の上顎の歯にフックを係止するとともに、当該フックと左右フレーム８の中間部８ａとをワイヤー９で接続することが行われる。これにより、患者の上顎が前方に牽引された状態になる。
【００３８】
なお装着具本体４が頭部に装着された初期の状態では、図２の破線で示すように、樹脂体１１が取り付けられた挿入部材１０の上部は、鼻の前方に位置する（上記の「初期の状態」は、装着具本体４が頭部に装着されることで、左右フレーム８が鼻の下側に配置され、且つ、挿入部材１０に力が加えられていないときの状態を意味する）。
【００３９】
ついで、挿入部材１０を後方に引いて、挿入部材１０の上部に取り付けられている樹脂体１１を、鼻の内部に挿入することが行われる。この結果、挿入部材１０の弾性復帰力によって、鼻が前方へ押圧された状態になり、この押圧により、鼻部周辺の筋肉が延ばされて、外鼻変形の生じている鼻が矯正される。
【００４０】
本実施形態の矯正具３によれば、鼻の下側に配置される左右フレーム８に取り付けられることで、切開を要せず、鼻を矯正できる。したがって、従来の鼻形成術のように、多大な痛みを患者に感じさせない。さらに矯正具３によれば、上述のように切開を要しないことで、患者の鼻の成長を抑制しない。したがって早期に鼻の矯正を開始できるので、長期に亘って鼻形成術が行われずに、外鼻変形が放置されている問題を解消できる。
【００４１】
なお鼻の矯正を良好なものとすべく、矯正具３は、患者の鼻を前方且つ下方へ押圧することが好ましい。鼻を前方且つ下方へ押圧することは、例えば、図２の破線で示す矯正具３の初期位置や、鼻の内面に当接する挿入部材１０の上部の形状（樹脂体１１の形状）等を、適宜調整することで実現され得る。
【００４２】
また本実施形態の矯正具３によれば、挿入部材１０の中間部がループ状に湾曲することで、挿入部材１０の延長を長く確保できる。このため挿入部材１０から鼻に加える力を弱く抑えることができる。さらに挿入部材１０の中間部が後方に凸となるループ状を呈することで、挿入部材１０は、後方（顔面側）への変形が抑制されて、持続的に鼻に力を加えるものとなる。以上のことから、本実施形態の矯正具３によれば、患者が感じる痛みを小さく抑えつつ、確実に鼻を矯正できる。
【００４３】
また本実施形態の矯正具３によれば、表面が丸みを帯びた樹脂体１１が鼻に挿入されることからも、痛みを小さく抑えることができる。
【００４４】
また本実施形態の矯正装置１によれば、上記の矯正具３と、患者の上顎を前方に牽引する装着具２とを兼ね備えるので、上顎の矯正と、鼻の矯正とを、同時に進めることができる。したがって矯正装置１によれば、上顎の矯正及び鼻の矯正を早期に完了できる。
【００４５】
なお、本考案の矯正具や矯正装置は、上記実施形態に示したものに限定されず、種々改変できる。
【００４６】
例えば、本考案の矯正具は、図５に示すように変更され得る。
【００４７】
図５に示す変形例の矯正具２０は、固定具２１を有する点で、図１〜図３に示す矯正具３と異なる。
【００４８】
固定具２１は、ダブルクリップの名称で普及しているものであり、固定具本体２２と、一対のレバー２３Ａ，２３Ｂとを有している。
【００４９】
固定具本体２２は、一対の側板２４Ａ，２４Ｂと、当該一対の側板２４Ａ，２４Ｂの基端辺同士を連結する底板２５とから構成される。
【００５０】
一対の側板２４Ａ，２４Ｂの先端辺の間に挟み口２６を有しており、挿入部材１０の下端部は、前記一対の側板２４Ａ，２４Ｂの一方に溶接される。
【００５１】
一対のレバー２３Ａ，２３Ｂは、Ｕ字状を呈するものであって、レバー２３Ａは側板２４Ａの先端辺に回転可能に係止され、レバー２４Ｂは側板２４Ｂの先端辺に回転可能に係止される。
【００５２】
上記の固定具２１を備える矯正具２０によれば、レバー２３Ａ，２３Ｂの回転操作で挟み口２６を開閉させることで、鼻の下側に配置されるフレームに挿入部材１０の下端部を固定することや、フレームから挿入部材１０の下端部を取り外すことが可能である。例えば、図１，図２，図４に示す左右フレーム８に対しては、挟み口２６が開いた状態で、側板２４Ａ，２４Ｂを中間部８ａの隙間Ｓ１，Ｓ２（図４）に挿入することで、挿入部材１０の下端部を左右フレーム８に固定できる。また隙間Ｓ１，Ｓ２から側板２４Ａ，２４Ｂを抜き出すことで、左右フレーム９から挿入部材１０の下端部を取り外すことができる。
【００５３】
なお、本考案の矯正具に設けられる固定具は、図５に示す固定具２１に限定されない。本考案の矯正具には、挿入部材１０の下端部を左右フレーム８に着脱自在に固定可能な様々な固定具を設けることができる。
【００５４】
また上記実施形態では、挿入部材１０を針金から構成する例を示したが、挿入部材１０は、樹脂から形成されてもよい、この場合でも、挿入部材１０の弾性復帰力によって患者の鼻を前方に押圧できるので、鼻の矯正が可能となる。
【００５５】
また樹脂体１１は、必ずしも必要ではなく、矯正具３，３０（図２）から省略されてもよい。この場合、例えば、円弧状やループ状に湾曲させた挿入部１０の上部を、鼻の内部に挿入することが行われる。このようにしても、患者が感じる痛みを小さく抑えることができる。
【００５６】
また本考案の矯正装置では、必ずしも、患者の上顎を前方に牽引可能な装着具２を使用する必要はない。本考案の矯正装置が備える装着具として、頭部に装着された状態で、鼻の下側に配置されるフレームを有し、且つ、当該フレームに挿入部材１０を取り付け可能な様々な装着具を使用できる。
【００５７】
また本考案の矯正具及び矯正装置が適用可能な患者は、口唇口蓋裂患者に限定されない。本考案の矯正具及び矯正装置は、鼻を前方に押圧することで、鼻を矯正可能な様々な患者に適用され得る。
【符号の説明】
【００５８】
１  矯正装置、
２  装着具、
３,２０  矯正具、
４  装着具本体、
５  ヘッドサポート、
６  チンサポート、
７Ａ,７Ｂ  上下フレーム、
８  左右フレーム、
８ａ  左右フレームの中間部、
9  ワイヤー、
１０  挿入部材、
１０ａ  挿入部材の中間部、
１１  樹脂体、
２１  固定具、
２２  固定具本体、
２３Ａ，２３Ｂ  レバー、
２４Ａ，２４Ｂ  側板、
２５  底板、
２６  挟み口
【図１】
0003220646.tif 000003
【図２】
0003220646.tif 000004
【図３】
0003220646.tif 000005
【図４】
0003220646.tif 000006
【図５】
0003220646.tif 000007
【手続補正書】
【提出日】平成31年1月28日(2019.1.28)
【手続補正１】
【補正対象書類名】実用新案登録請求の範囲
【補正対象項目名】全文
【補正方法】変更
【補正の内容】
【実用新案登録請求の範囲】
【請求項１】
患者の鼻を矯正するために使用される矯正具であって、
挿入部材を有し、
前記挿入部材は、鼻の下側に配置されるフレームに取り付けられるものであって、前記フレームから上方へ延び、
初期状態では、前記挿入部材の上部は鼻の前方に位置しており、前記挿入部材の上部を前記鼻の内部に挿入することで、前記挿入部材の弾性復帰力によって前記鼻を前方へ押圧可能な矯正具。
【請求項２】
樹脂体をさらに有し、
前記樹脂体は、前記挿入部材の上部に取り付けられるものであって、前記樹脂体の表面は、丸みを帯びている請求項１に記載の矯正具。
【請求項３】
前記挿入部材の中間部は、後方に凸となるループ状に湾曲する、請求項１又は２に記載の矯正具。
【請求項４】
前記挿入部材は、針金から構成されており、
前記挿入部材の下端部が前記フレームに溶着されることで、前記挿入部材は前記フレームに取り付けられる請求項１乃至３のいずれかに記載の矯正具。
【請求項５】
固定具をさらに有し、
前記固定具は、前記挿入部材の下端部を前記フレームに着脱自在に固定可能である請求項１乃至３のいずれかに記載の矯正具。
【請求項６】
請求項１乃至５のいずれかに記載の矯正具と、
患者の頭部に装着される装着具とを備え、
前記フレームは、前記装着具に設けられる、矯正装置。
【請求項７】
前記装着具は、患者の上顎を前方に牽引可能である請求項６に記載の矯正装置。
【請求項８】
前記装着具は、装着具本体と、ワイヤーと、フックとを備え、
前記装着具本体は、ヘッドサポートと、チンサポートと、一対の上下フレームと、左右フレームとを備えるものであって、前記矯正具の挿入部材は、前記左右フレームに取り付けられ、
前記一対の上下フレームは、上下方向に延びるものであり、一方の前記上下フレームと他方の前記上下フレームとは、左右方向に間隔をあけて位置しており、
前記一方の上下フレームの上端部は、前記ヘッドサポートの左側端部に接続され、前記一方の上下フレームの下端部は、前記チンサポートの左側端部に接続され、
前記他方の上下フレームの上端部は、前記ヘッドサポートの右側端部に接続され、前記他方の上下フレームの下端部は、前記チンサポートの右側端部に接続され、
前記左右フレームは、左右方向に延びるものであり、前記左右フレームの左側端部は、前記一方の上下フレームの中間部に接続され、前記左右フレームの右側端部は、前記他方の上下フレームの中間部に接続されており、
前記装着具は、前記ヘッドサポートが患者の額に当接し、前記チンサポートが患者の下顎の下端に当接するように、患者の頭部に装着されるものであって、この状態において、前記左右フレームは、鼻の下側に配置され、
前記フックは、患者の上顎の歯に係止されるものであって、
前記ワイヤーは、弾性材料から形成されるものであって、当該ワイヤーによって前記フックと前記左右フレームの中間部とが接続されることで、患者の上顎が前方に牽引される、請求項７に記載の矯正装置。
【請求項９】
前記左右フレームの中間部は、つづら折り状に曲がっており、前方に突出する請求項８に記載の矯正装置。